(57)【特許請求の範囲】
【請求項１】
走行車体（１）の前側に、ラジエータ（２２）とバッテリ（１７）とエンジン（Ｅ）とを内装するボンネット（２）を備え、
前記エンジン（Ｅ）の左右両側を支持し、前記走行車体（１）の前部まで延びる少なくとも左右に略平行な機体フレーム（８）を有し、前記エンジン（Ｅ）の動力を前方に伝動する伝動軸（１１）と、該伝動軸（１１）に連結して回転数を変速するギヤを内装するギヤケース（１２）と、前記ギヤケース（１２）に連結して前記走行車体の前側に突出するフロントＰＴＯ軸（１３）と、を備え、前記伝動軸（１１）を前記機体フレーム（８）の間に設け、前記ギヤケース（１２）の上部を、前記機体フレーム（８）を構成する左右のプレート（９Ｌ），（９Ｒ）と横方向に繋いで設ける前部のプレート（９Ｆ）とに囲まれる空間で支持し、前記ギヤケース（１２）の後部をケースステー（２０）に固定し、前記ケースステー（２０）を前記左右のプレート（９Ｌ），（９Ｒ）にボルト固定する構成で支持し、
前記フロントＰＴＯ軸（１３）を前記前部のプレート（９Ｆ）の下方に設け、更に前方に突出させ、
前記ギヤケース（１２）の下部をアクスルケースブラケット（１４）より下方位置に突出させ、前記ギヤケース（１２）下部の前面に前記フロントＰＴＯ軸（１３）を突設し、
前記フロントＰＴＯ軸（１３）には左右及び上方を覆う保護カバー（１６）を設け、
前記前部のプレート（９Ｆ）には牽引用のヒッチ（１９）を取り付け、前記牽引用のヒッチ（１９）は前記保護カバー（１６）の上方に設け、
前記ギヤケース（１２）は、前記バッテリ（１７）を載置するバッテリベースプレート（１８）の下方に設け、前記バッテリベースプレート（１８）を着脱自在に構成し、
前記バッテリベースプレート（１８）は、下面をフラットに形成し、前記伝動軸（１１）が、前記バッテリベースプレート（１８）の直下方を通過する構成とし、
前記伝動軸（１１）は、前後に自在継手（１１ａ）を設けており、中間部で２分割して角スプライン嵌合して長手方向に伸縮自在に構成することを特徴とするトラクタ。
【請求項２】
前記伝動軸（１１）は、前記アクスルケースブラケット（１４）に形成した切り欠き部（１５）を通過させる構成としてあることを特徴とする請求項１記載のトラクタ。
【発明の詳細な説明】
【技術分野】
【０００１】
この発明は、フロントＰＴＯ軸を備えたトラクタに関する。
【背景技術】
【０００２】
従来、ボンネット内のエンジンの動力を車体前方に伝動軸を延ばし、ケースに収容されるベルト伝動及びクラッチ装置を経て車体前部から前方にフロントＰＴＯ軸を突出させる構成である（例えば、特許文献１参照）。
【先行技術文献】
【特許文献】
【０００３】
【特許文献１】特開昭６２−２１６８３３号公報
【発明の概要】
【発明が解決しようとする課題】
【０００４】
従来技術によると、ケースを機体フレームの前側に別途取り付ける構造であり、複雑な構造になっている。
【０００５】
本発明は、構造を簡単にすることを課題とする。
【課題を解決するための手段】
【０００６】
この発明は、上記課題を解決すべく次のような技術的手段を講じた。
【０００７】
すなわち、請求項１記載の本発明は、走行車体（１）の前側に、ラジエータ（２２）とバッテリ（１７）とエンジン（Ｅ）とを内装するボンネット（２）を備え、
前記エンジン（Ｅ）の左右両側を支持し、前記走行車体（１）の前部まで延びる少なくとも左右に略平行な機体フレーム（８）を有し、前記エンジン（Ｅ）の動力を前方に伝動する伝動軸（１１）と、該伝動軸（１１）に連結して回転数を変速するギヤを内装するギヤケース（１２）と、前記ギヤケース（１２）に連結して前記走行車体の前側に突出するフロントＰＴＯ軸（１３）と、を備え、前記伝動軸（１１）を前記機体フレーム（８）の間に設け、前記ギヤケース（１２）の上部を、前記機体フレーム（８）を構成する左右のプレート（９Ｌ），（９Ｒ）と横方向に繋いで設ける前部のプレート（９Ｆ）とに囲まれる空間で支持し、前記ギヤケース（１２）の後部をケースステー（２０）に固定し、前記ケースステー（２０）を前記左右のプレート（９Ｌ），（９Ｒ）にボルト固定する構成で支持し、
前記フロントＰＴＯ軸（１３）を前記前部のプレート（９Ｆ）の下方に設け、更に前方に突出させ、
前記ギヤケース（１２）の下部をアクスルケースブラケット（１４）より下方位置に突出させ、前記ギヤケース（１２）下部の前面に前記フロントＰＴＯ軸（１３）を突設し、
前記フロントＰＴＯ軸（１３）には左右及び上方を覆う保護カバー（１６）を設け、
前記前部のプレート（９Ｆ）には牽引用のヒッチ（１９）を取り付け、前記牽引用のヒッチ（１９）は前記保護カバー（１６）の上方に設け、
前記ギヤケース（１２）は、前記バッテリ（１７）を載置するバッテリベースプレート（１８）の下方に設け、前記バッテリベースプレート（１８）を着脱自在に構成し、
前記バッテリベースプレート（１８）は、下面をフラットに形成し、前記伝動軸（１１）が、前記バッテリベースプレート（１８）の直下方を通過する構成とし、
前記伝動軸（１１）は、前後に自在継手（１１ａ）を設けており、中間部で２分割して角スプライン嵌合して長手方向に伸縮自在に構成することを特徴とするトラクタである。
請求項２記載の本発明は、前記伝動軸（１１）は、前記アクスルケースブラケット（１４）に形成した切り欠き部（１５）を通過させる構成としてあることを特徴とする請求項１記載の本発明のトラクタである。
第１の本発明に関連する発明は、走行車体（１）の前側にエンジン（Ｅ）を内装するボンネット（２）を備え、前記エンジン（Ｅ）の左右両側を支持し、前記走行車体（１）の前部まで延びる少なくとも左右に略平行な機体フレーム（８）を有し、前記エンジン（Ｅ）の動力を前方に伝動する伝動軸（１１）と、該伝動軸に連結して回転数を変速するギヤを内装するギヤケース（１２）と、前記ギヤケースに連結して前記走行車体の前側に突出するＰＴＯ軸（１３）を備え、前記伝動軸（１１）を前記機体フレーム（８）の間に設け、前記ギヤケース（１２）を前記機体フレームの左右のプレート（９Ｌ），（９Ｒ）と横方向に繋いで設ける前部のプレート（９Ｆ）で支持し、前記ＰＴＯ軸（１３）を前記前部のプレート（９Ｆ）の下方に設け、更に前方に突出させてあることを特徴とする。
機体フレーム（８）の形状を効率よく利用してエンジン（Ｅ）やギヤケース（１２）を支持し、伝動軸（１１）、ＰＴＯ軸（１３）等をバランス良く配置することができる。
【０００８】
第２の本発明に関連する発明は、第１の本発明に関連する発明において、前記前部のプレート（９Ｆ）には牽引用のヒッチ（１９）を取り付け、前記牽引用のヒッチ（１９）は前記ＰＴＯ軸（１３）の上方に設けてあることを特徴とする。
【０００９】
上記構成によると、牽引ヒッチ（１９）は、機体フレームである左右プレートの前部を繋ぐ前部プレート（９Ｆ）に取り付けるものであり、構成が強固であって、ＰＴＯ軸の上方に効率よく取り付けることができる。
【００１０】
第３の本発明に関連する発明は、第１又は第２の本発明に関連する発明において、前記ＰＴＯ軸（１３）にはこの左右及び上方を覆う保護カバー（１６）を設けてあることを特徴とする。
【００１１】
上記構成によると、ＰＴＯ軸（１３）の下方を除く周囲をカバー（１６）によって覆うため、ＰＴＯ軸を効果的に安全に保護することができる。
【００１２】
第４の本発明に関連する発明は、第１又は第２又は第３の本発明に関連する発明において、前記ギヤケース（１２）は、バッテリ（１７）を載置するバッテリベースプレート（１８）の下方に設置してあることを特徴とする。
【００１３】
上記構成によると、バッテリベースプレート（１８）は着脱自在又はバッテリ載置部に切り欠きを設けることで、ギヤケース（１２）のメンテナンスの容易化を図ることができる。
【００１４】
第５の本発明に関連する発明は、第１又は第２又は第３又は第４の本発明に関連する発明において、前記伝動軸（１１）は、アクスルケースブラケット（１４）の切り欠き部（１５）を通る構成としてあることを特徴とする。
【００１５】
上記構成によると、アクスルケースブラケット（１４）の切り欠き部（１５）によって伝動軸（１１）を通すことができるので、伝動軸の配置スペースが小さくて済み、省スペース化を図ることができる。
【発明の効果】
【００１６】
以上要するに、本発明によれば、従来からの機体フレームの形状を効率よく利用して、エンジンやギヤケースを支持でき、伝動軸、フロントＰＴＯ軸等バランス良く配置することができる。
第１の本発明に関連する発明によれば、従来からの機体フレームの形状を効率よく利用して、エンジンやギヤケースを支持でき、伝動軸、フロントＰＴＯ軸等バランス良く配置することができる。
【００１７】
第２の本発明に関連する発明によれば、第１の本発明に関連する発明の効果に加えて、機体フレームに牽引用ヒッチを効率よく取り付けることできる。
【００１８】
第３の本発明に関連する発明によれば、第１又は第２の本発明に関連する発明の効果に加えて、フロントＰＴＯ軸をカバーによって覆い効果的、安全に保護することができる。
【００１９】
第４の本発明に関連する発明によれば、第１又は第２又は第３の本発明に関連する発明の効果に加えて、バッテリベースプレートの着脱自在構成等によってギヤケースのメンテナンスを容易に行うことができる。
【００２０】
第５の本発明に関連する発明によれば、第１又は第２又は第３又は第４の本発明に関連する発明の効果に加えて、伝動軸をアクスルケースブラケットの切り欠き部を通すことによって伝動軸の配置スペースの省スペース化を図ることができる。
【図面の簡単な説明】
【００２１】
【図１】トラクタの側面図
【図２】トラクタ要部の側面図
【図３】同上要部の斜視図
【図４】ボンネットを除いたトラクタ要部の側面図
【図５】同上要部の斜視図
【図６】同上要部の平面図
【発明を実施するための形態】
【００２２】
この発明の実施例を図面に基づき説明する。
【００２３】
図１は、トラクタの側面図を示すものであり、この走行車体１前部のボンネット２内部にエンジンＥを搭載し、このエンジンＥの回転動力をミッションケース３内の変速装置に伝え、この変速装置で減速された回転動力を前輪４及び後輪５に伝えるようにしている。後輪５はフェンダ５ａで覆われており、後輪５で跳ね飛ばされた泥などが運転席７に飛散しない構成としている。
【００２４】
エンジンＥの後方に前輪４，４を操舵するステアリングハンドル６が装備され、更に、その後方には運転席７が設置されている。また、運転席７の後方には安全フレーム７ａが設置されている。
【００２５】
エンジンＥの左右両側を支持し、走行車体１の前部まで延びる機体フレーム８を備えている。この機体フレーム８は、左右に略平行な左右プレート９Ｌ,９Ｒと前側を横方向に繋いで設ける前部フレーム９Ｆとからなり、平面視で略コの字型に形成されている。
【００２６】
エンジンＥの動力をクランクプーリ部から前方に向けて伝動する伝動軸１１は、その前後に自在継手１１ａを設けており、中間部で２分割して角スプライン嵌合として長手方向に伸縮自在に構成してある。
【００２７】
これにより、伝動軸１１の径を小さくできる。そして、機体に負荷が生じても、伝動軸１１は長手方向に伸縮するので、伝動軸１１の損傷を防止できる。
【００２８】
また、伝動軸１１の周囲はカバーで覆う構成としているので、伝動軸１１の角スプライン部に泥などが付着するのを防止できる。
【００２９】
そして、その伝動軸１１に連結して回転数を変速するギヤを内装するギヤケース１２を機体の前部に構成している。伝動軸１１の回転動力はギヤケース１２に入力して変速され、その前面から走行車体前側に突出するフロントＰＴＯ軸１３を駆動する構成としている。
【００３０】
また、前記伝動軸１１は、機体フレーム８を構成する左右プレート９Ｌ,９Ｒの間に設けられ、しかも、アクスルケースブラケット１４の切り欠き部１５を通した構成になっている。
【００３１】
このように、アクスルケースブラケット１４に切り欠き部１５を形成し、この切り欠き部１５に伝動軸１１を通過させる構成としたので、上下方向をコンパクトに構成できる。
【００３２】
ギヤケース１２は、機体フレーム８の左右のプレート９Ｌ,９Ｒと横方向に繋ぐ前部のプレート９Ｆとによって囲まれる空間で支持される構成になっており、ボルトで固定されている。また、伝動軸１１の折角度を少なくするために、即ち、伝動軸１１をできるだけ前後方向に対して直線状に配置するために、ギヤケース１２を前部のプレート９Ｆ直後に取り付けると、フロントＰＴＯ軸１３をコンパクトに取り出せ、フロント装着作業機を本機に近接して装着でき、バランスの良い作業が可能となる。
【００３３】
ギヤケース１２の後部をケースステー２０に固定し、ケースステー２０は機体フレーム８を構成する左右のプレート９Ｌ,９Ｒに固定している。
【００３４】
また、ギヤケース１２は、バッテリ１７を載せるバッテリベースプレート１８の下方に設けられ、メンテナンスが容易に行えるようにしている。また、バッテリベースプレート１８は、下面をフラットにし、前記伝動軸１１がその下方ぎりぎりを通るようにしている。ギヤケース１２の下部をアクスルブラケットの１４の下方に突出させ、ケース下部の前面にフロントＰＴＯ軸１３を突設した構成になっている。
【００３５】
また、前記フロントＰＴＯ軸１３は、前部のプレート９Ｆの下方に設けられ、更にその前方に突出した構成になっている。また、フロントＰＴＯ軸１３には、この左右及び上方を覆う保護カバー１６（保護カバー左部１６ａ，保護カバー右部１６ｂ，保護カバー上部１６ｃ）がギヤケース１２の前面に設けられ、フロントＰＴＯ軸１３を安全に保護している。
【００３６】
これにより、フロントＰＴＯ軸１３に接触するのを防止できる。また、フロントＰＴＯ軸１３が風雨にさらされるのを防止できる。
【００３７】
前記前部プレート９Ｆには牽引用のヒッチ１９が取り付けられ、牽引用ヒッチ１９はフロントＰＴＯ軸１３の上方に設けられている。牽引用ヒッチ１９とフロントＰＴＯ軸１３にはフロント作業機が容易に装着される。
【００３８】
機体フレーム８の側面には、前後方向の力を受けるため、補強部材２１が設けられている。
【００３９】
これにより、ギヤケース１２、伝動軸１１、フロントＰＴＯ軸１３の振動を抑制できる。
【００４０】
また、エンジンＥからの排気管２３の排気口２３ａは、左のプレート９Ｌの側方であってボンネット２の下方に配置している。これにより、排気口２３ａ内に雨などが進入するのを防止でき、デザイン性も向上する。
【００４１】
なお、図中、２２は、エンジンを冷却するラジエータを示す。
【符号の説明】
【００４２】
Ｅ    エンジン
１    走行車体
２    ボンネット
８    機体フレーム
９Ｌ  左プレート
９Ｒ  右プレート
９Ｆ  前部プレート
１１    伝動軸
１２    ギヤケース
１３    フロントＰＴＯ軸
１４    アクスルケースブラケット
１５    切り欠き部
１６    保護カバー
１７    バッテリ
１８    バッテリベースプレート
１９    牽引用ヒッチ
【図１】
0006593224.tif 000002
【図２】
0006593224.tif 000003
【図３】
0006593224.tif 000004
【図４】
0006593224.tif 000005
【図５】
0006593224.tif 000006
【図６】
0006593224.tif 000007